【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
光伝送路の分散を最適化する方法であって、
光伝送路上で伝送される少なくとも１つの選択された波長チャネルの光信号を受信する工程と、
受信光信号を、前記光信号のボーまたはその近傍の周期の周期信号と混合する工程であって、これにより生じた信号成分を得る、工程と、
前記生じた信号成分の振幅を測定する工程と、
前記生じた信号成分のピーク振幅に基づいて、前記光伝送路上で伝送される前記少なくとも１つの選択された波長チャネルについての最適分散を設定する工程とからなる方法。
【請求項２】
前記混合する工程が、前記受信信号を同期的に復調して、直流信号成分を得る工程を備える、請求項１に記載の方法。
【請求項３】
前記混合する工程が、前記受信信号についての検出された電気バージョンを局部発振器（LO）信号を用いて非同期的に復調して、交流信号成分を得る工程を備える、請求項１に記載の方法。
【請求項４】
前記LO信号の周波数が、前記受信信号についての前記検出された電気バージョンのボー周波数から、約１００ｋＨｚずれている、請求項３に記載の方法。
【請求項５】
光伝送路の分散を最適化する方法であって、
光伝送路上で伝送される少なくとも１つの選択された波長チャネルの光信号を受信する工程と、
受信信号を同期的に復調して、直流信号成分を得る工程と、
受信されて同期的に復調された信号の前記直流信号成分の振幅を測定する工程と、
前記直流信号成分のピーク振幅に基づいて、前記光伝送路についての最適分散を設定する工程とを備える方法。
【請求項６】
前記受信信号が、ＲＺパルス、ＮＲＺパルス、及びチャープＲＺパルスからなる群から選択される、請求項１又は５のいずれか１項に記載の方法。
【請求項７】
ＲＺパルスが、線形領域にある、請求項６に記載の方法。
【請求項８】
前記受信信号が、マイクロ波ミキサにおいて同期回復クロック信号と混合される、請求項５に記載の方法。
【請求項９】
回復されたクロックの位相を、前記受信信号と同相であるように調節することにより、前記受信信号の同期的な振幅変調の復調が達成される、請求項５に記載の方法。
【請求項１０】
前記受信信号が、同期的に復調される前に、周波数２倍器回路を通過する、請求項５に記載の方法。
【請求項１１】
光伝送路の分散を最適化する方法であって、
光ファイバ伝送路上で伝送される少なくとも１つの選択された波長チャネルの光信号を受信する工程と、
局部発振器（LO）信号を受信信号についての検出された電気バージョンと混合して、交流信号成分を得る工程であって、前記LO信号の周波数が、前記受信信号についての前記検出された電気バージョンのボー周波数とは異なる工程と、
混合された信号の前記得られた交流信号成分のＩＦ振幅を測定する工程と、
前記交流信号成分のピーク１Ｆ振幅に基づいて、前記光伝送路上で伝送される前記少なくとも１つの選択された波長チャネルについて最適分散を設定する工程とを備える方法。
【請求項１２】
前記LO信号の周波数が、前記受信信号についての前記検出された電気バージョンのボー周波数に近い、請求項１１に記載の方法。
【請求項１３】
前記LO信号の周波数が、前記受信信号についての前記検出された電気バージョンのボー周波数から約１００ｋＨｚずれている、請求項１２に記載の方法。
【請求項１４】
前記受信信号についての前記検出された電気バージョンが、ＲＺパルス、ＮＲＺパルス、またはチャープＲＺパルスからなる群から選択される、請求項１３に記載の方法。
【請求項１５】
前記受信信号が、前記LO信号と混合される前に、周波数２倍器回路を通過する、請求項１１に記載の方法。
【請求項１６】
前記受信信号が、光搬送波の位相変調を使用する、請求項１、５、および１１のいずれか１項に記載の方法。
【請求項１７】
前記受信信号が、ＲＺ差動位相シフトキーイング信号である、請求項１５に記載の方法。
【請求項１８】
前記光信号が、使用のために受信される前に、光位相復調の１つまた複数の段階を通過する、請求項１５に記載の方法。
【請求項１９】
前記測定する工程及び前記設定する工程が、自動化される、請求項１、５および１１のいずれか１項に記載の方法。
【請求項２０】
分散最適化装置であって、
光伝送路上で伝送される少なくとも１つの選択された波長チャネルの光信号を受信する受信器と、
受信信号を周期信号と混合して、これにより生じた信号成分を得るためのミキサと、
前記生じた信号成分の振幅を測定する振幅測定装置と、
前記生じた信号成分のピーク振幅に基づいて、前記光伝送路上で伝送される前記少なくとも１つの選択された波長チャネルについての最適分散を設定するための分散制御装置とを備える装置。
【請求項２１】
前記周期信号が、回復されたボー・クロック信号である、請求項２０に記載の装置。
【請求項２２】
前記ミキサが、ＲＺパルスを前記回復されたクロック信号と同相で混合して、前記少なくとも１つの選択された波長チャネルの前記受信信号を同期的に復調して、直流信号成分を得る、マイクロ波ミキサからなる、請求項２１に記載の装置。
【請求項２３】
前記周期信号が、ボー周波数と非同期である局部発振器（LO）信号である、請求項２０に記載の装置。
【請求項２４】
前記ミキサが、前記少なくとも１つの選択された波長チャネルの前記受信信号についての検出された電気バージョンを前記LO信号を用いて非同期的に復調して、交流信号成分を得るためのマイクロ波ミキサからなる、請求項２３に記載の装置。
【請求項２５】
前記LO信号周波数が、前記受信信号についての検出された電気バージョンのボー周波数から約１００ｋＨｚずれている、請求項２３に記載の装置。
【請求項２６】
前記振幅測定装置および前記分散制御装置が、自動化される、請求項２０に記載の装置。
【請求項２７】
前記光信号が、１つまたは複数の光位相復調工程を経ている、請求項２０に記載の装置。
【請求項２８】
前記受信信号が、周波数２倍化の工程を経ている、請求項２０に記載の装置。
【請求項２９】
分散を監視するためのコンピュータ・システムであって、１つまたは複数の実行可能プログラムを実行するように動作可能な少なくとも１つのデータ処理ユニットを含み、前記１つまたは複数の実行可能なプログラムにより、前記少なくとも１つのデータ処理ユニットが、
少なくとも１つの選択された波長チャネルの光サンプルを提供する工程と、
前記少なくとも１つの選択された波長チャネルのボーと約１００ｋＨｚだけ異なる周波数においてＲＦ搬送波を提供する工程と、
ＥＤＦＡを介して前記光サンプルを結合する工程と、
受信光検出器を介して前記光サンプルを結合する工程と、
前記光検出器の出力信号を増幅する工程と、
増幅された出力信号を調節する工程と、
増幅され調節された出力信号をマイクロ波ミキサの１つの入力に結合する工程と、
前記ＲＦ搬送波信号を前記マイクロ波ミキサの他の入力に結合する工程と、
前記増幅され調節された出力信号を前記ＲＦ搬送波信号と混合して、交流信号成分を得る工程と、
前記ミキサの出力を終端して、出力を低周波数増幅器に交流結合する工程と、
前記交流信号成分を能動帯域通過フィルタを経て結合する工程と、
前記交流信号成分を平均値検出器に結合する工程と、
直流信号をＡ／Ｄ変換器を経て結合する工程と、
前記直流信号を処理ユニットに通信することを含む工程とを実施する、分散を監視するためのコンピュータ・システム。
【請求項３０】
前記直流信号の振幅に基づいて、前記少なくとも１つの選択された波長チャネルの分散補償設定を調節する工程をさらに備える、請求項２９に記載のコンピュータ・システム。
【請求項３１】
分散補償設定が変更される際に、前記直流信号を監視する工程をさらに備える、請求項３０に記載のコンピュータ・システム。
【請求項３２】
信号入力と前記光検出器の間に結合された干渉計をさらに備える、請求項２９に記載のコンピュータ・システム。
【請求項３３】
前記光受信器とミキサとの間に結合された周波数２倍回路をさらに備える、請求項２９に記載のコンピュータ・システム。
【請求項３４】
分散監視装置であって、
少なくとも１つの選択された波長チャネルの光信号を生成する波長チャネル生成装置と、
前記少なくとも１つの選択された波長チャネルと周波数の異なるＲＦ搬送波信号を提供するための周波数シンセサイザと、
前記光信号を前記ＲＦ搬送波信号と混合するためのミキサであって、少なくとも第１入力と第２入力とを有し、前記ＲＦ搬送波信号が、前記第２入力に結合すれるミキサと、
前記波長チャネル生成装置と前記ミキサへの第１入力との間に結合された光検出器と、
前記ミキサの出力に結合された低周波数増幅器と、
前記低周波数増幅器に結合された能動帯域通過フィルタと、
前記能動帯域通過フィルタに結合された平均値検出器と、
前記平均値検出器と汎用コンピュータとの間に結合されたＡ／Ｄ変換器とを備える分散監視装置。
【請求項３５】
信号入力と前記光検出器との間に結合されたＥＤＦＡをさらに備える、請求項３４に記載の分散監視装置。
【請求項３６】
信号入力と前記光検出器との間に結合された干渉計をさらに備える、請求項３４に記載の分散監視装置。